(57)【要約】【課題】新規な構成の医療用カテーテルアセンブリを提供する。【解決手段】医療用カテーテルアセンブリであって、以下：一対の内部管腔の各々の少なくとも一部分を画定する隔壁を含む細長いカテーテル部材と；該細長いカテーテル部材の遠位端に連結され、そして該隔壁によって画定される平面に関して対称であるカテーテル先端部であって、該カテーテル先端部は遠位部分および近位部分、上面、下面、ならびに該上面と該下面との間の側面を含み、該遠位部分は閉じた遠位端を含む、カテーテル先端部とを備え、該カテーテル先端部が：第１の管腔および第２の管腔と、該カテーテル先端部の遠位部分にある第１の開口部および第２の開口部とを画定し、各々の開口部は該カテーテル先端部の個々の側面によって規定される。【選択図】図１
2014069074.tif 000002
【特許請求の範囲】
【請求項１】
医療用カテーテルアセンブリであって、以下：
一対の内部管腔の各々の少なくとも一部分を画定する隔壁を含む細長いカテーテル部材と；
該細長いカテーテル部材の遠位端に連結され、そして該隔壁によって画定される平面に関して対称であるカテーテル先端部であって、該カテーテル先端部は遠位部分および近位部分、上面、下面、ならびに該上面と該下面との間の側面を含み、該遠位部分は閉じた遠位端を含む、カテーテル先端部とを備え、該カテーテル先端部が：
第１の管腔および第２の管腔と、
該カテーテル先端部の遠位部分にある第１の開口部および第２の開口部とを画定し、各々の開口部は該カテーテル先端部の個々の側面によって規定され、各々の開口部は該カテーテル先端部の該第１の管腔および該第２の管腔の個々の１つと、そして該細長いカテーテル部材の第１の管腔および第２の管腔の個々の１つと流体連通し；
該カテーテル先端部の上面と下面との間の距離が、該近位部分の遠位端から該閉じた遠位端に向かって減少する、医療用カテーテルアセンブリ。
【請求項２】
前記近位部分に沿った前記上面と前記下面との間の前記距離が、前記遠位部分に隣接する遠位方向で増加する、請求項１に記載の医療用カテーテルアセンブリ。
【請求項３】
前記カテーテル先端部の近位部分が、湾曲した長球状領域によって画定される、請求項１に記載の医療用カテーテルアセンブリ。
【請求項４】
前記第１の開口部および前記第２の開口部が、各々細長い卵形である、請求項１に記載の医療用カテーテルアセンブリ。
【請求項５】
前記細長いカテーテル部材が長手方向軸を画定し、そして前記第１の開口部および前記第２の開口部が該長手方向軸に沿って前記カテーテル先端部の遠位端から所定の距離で間隔を置かれる、請求項１〜４のいずれか１項に記載の医療用カテーテルアセンブリ。
【請求項６】
前記第１の内部管腔および前記第２の内部管腔の断面形状が半円形である、請求項１〜４のいずれか１項に記載の医療用カテーテルアセンブリ。
【請求項７】
前記細長いカテーテル部材および前記カテーテル先端部が、それらの間に延びる少なくとも１つの連結部材によって連結される、請求項１〜４のいずれか１項に記載の医療用カテーテルアセンブリ。
【請求項８】
前記少なくとも１つの連結部材が、前記細長いカテーテル部材および前記カテーテル先端部と流体連通するチャネルを画定する、請求項７に記載の医療用カテーテルアセンブリ。
【請求項９】
前記少なくとも１つの連結部材が近位端および遠位端を含み、そして該連結部材の遠位端が前記第１の側面開口部および前記第２の側面開口部の１つと隣接している、請求項８に記載の医療用カテーテルアセンブリ。
【請求項１０】
前記第１の開口部および前記第２の開口部が各々輪郭のある周を有する、請求項１〜４のいずれか１項に記載の医療用カテーテルアセンブリ。
【発明の詳細な説明】
【技術分野】
【０００１】
本開示は、カテーテルアセンブリ、そして特に、対称先端部鋭形カテーテルに関する。
【背景技術】
【０００２】
カテーテルは、身体の腔、導管および脈管に、および身体の腔、導管および脈管から流体の引き抜きおよび導入のために意図された可撓性の医療用器具である。カテーテルは、血液透析手順における特定の適用を有し、そこでは、処置のために血液が血管から引き抜かれ、そして引き続き循環のために血管に戻される。血液透析カテーテルは、２管腔カテーテルまたは３管腔カテーテルのように複数の管腔を含み得、これらは、カテーテル内で双方向の流体流れを可能にし、それによって１つの管腔、動脈管腔が脈管からの血液の引き抜きのためにささげられ、そしてその他の管腔、静脈管腔が脈管に精製された血液を戻すためにささげられる。いくつかの血液透析手順の間に、複数管腔のカテーテルは身体中に挿入され、そして血液がカテーテルの動脈管腔を通じて引き抜かれる。引き抜かれた血液は、血液透析ユニットに向けられ、この血液透析ユニットは、血液を透析または精製し、老廃物およびトキシンを除去する。その後、透析された血液は、カテーテルの静脈管腔を通って患者に戻される。
【０００３】
一般に、血液透析カテーテルは、本質的に長期または短期のいずれかとしてカテゴリー分けされる。長期カテーテルは、代表的には延長された期間の間その場に残り、そして外科的解剖を経由して移植され得る。短期カテーテルは、比較すると、配置のスピードが所望される緊急の状況下で患者に配置されるように設計されている。短期カテーテルは、代表的には、２〜３日のみの間その場に残る。従って、短期カテーテルは、配置の緊急性を考えると、しばしば、長期カテーテルに比べてより剛直性である。
【発明の概要】
【発明が解決しようとする課題】
【０００４】
血液透析カテーテルにおいては、カテーテルの静脈管腔を出る精製された血液が動脈管腔中に直接引き抜かれ、精製された血液が透析器に戻るときに再循環が起こり得る。従って、再循環は、血液透析手順を終了するために要求される時間を増加する。
【課題を解決するための手段】
【０００５】
（要旨）
本開示は、血液透析カテーテルおよびそれとともに用いられるシステムにおけるさらなる改良に関する。カテーテルアセンブリは、細長い部材、およびカテーテル先端部を含む。この細長いカテーテル部材は、一対の内部管腔の各々の少なくとも一部分を画定する隔壁を含む。このカテーテル先端部は、上記細長いカテーテル部材の遠位端に連結され、そして上記隔壁によって画定される平面に関して対称である。上記カテーテル先端部は、遠位部分および近位部分、上面、下面および上面と下面との間の側面を含み、この遠位部分は、閉じた遠位端を含む。上記カテーテル先端部は、第１の管腔および第２の管腔、ならびに上記カテーテル先端部の遠位部分にある第１の開口部および第２の開口部を画定する。各々の開口部は、カテーテル先端部の個々の側面によって画定される。各々の開口部は、上記カテーテル先端部の第１の管腔および第２の管腔の個々の１つと、そして上記細長いカテーテル部材の第１の管腔および第２の管腔の個々の１つと流体連通している。上記カテーテル先端部の上面と下面との間の距離は、上記近位端部分の遠位端から上記閉じた遠位端に向かって減少する。上記第１の開口部および第２の開口部は互いに正反対であり、かつレーザー切断されても良く、またはその他の方法で形成されても良く、血栓形成の可能性を減少するために輪郭のあるエッジを有する。
【０００６】
上記カテーテル先端部の第１の通路および第２の通路は、上記細長いカテーテル部材の一対の内部管腔の個々の１つと流体連通しており、流体は、上記細長いカテーテル部材、上記カテーテル先端部、および上記第１の開口部および第２の開口部との間を通過し得、上記カテーテル部材は、内部身体腔のような外側環境と流体連通している。上記一対の内部管腔は、血液透析手順の場合におけるように、対向する双方向流体流れのために構成され得る。実施形態では、１つ以上の連結部材が、上記細長いカテーテル部材とカテーテル先端部との間に配置されても良く、そしてこの１つ以上の連結部材は、上記細長いカテーテル部材とカテーテル先端部との間の連通を容易にするチャネルを画定し得る。上記連結部材の遠位端は、上記第１の側面開口部と第２の側面開口部の近位端に隣接して配置されても良く、流体は、上記第１の側面開口部および第２の側面開口部の近位端に到達する際に、上記連結部材を出る。
【０００７】
実施形態では、上記近位部分に沿った上面と下面との間の距離は、上記遠位部分に隣接する遠位方向で増加する。別の実施形態では、上記カテーテル先端部の近位部分は、湾曲した長球形領域によって画定される。なお別の実施形態では、上記第１の開口部および第２の開口部は各々、細長い卵形である。
【０００８】
本開示のさらなる実施形態では、上記細長いカテーテル部材は長手方向軸を画定し、そして上記第１の側面開口部および第２の側面開口部は、上記カテーテル先端部の遠位端からこの長手方向軸に沿って所定距離間隔を置かれる。本開示の別の実施形態では、上記第１の内部管腔および第２の内部管腔の断面形状は半円形である。
【０００９】
なお別の実施形態では、上記細長いカテーテル部材およびカテーテル先端部は、それらの間に延びる少なくとも１つの連結部材によって連結される。この少なくとも１つの連結部材は、上記細長いカテーテル部材およびカテーテル先端部と流体連通するチャネルを画定する。この少なくとも１つの連結部材は近位端および遠位端を含み得、そしてこの連結部材の遠位端は、上記第１の側面開口部および第２の側面開口部の１つと隣接している。上記第１の側面開口部および第２の側面開口部の各々は、輪郭のある周を有する。
【００１０】
本開示のさらなる実施形態では、医療用カテーテルは、一対の管腔および長手方向軸を画定する細長い管状部材を含む。一対の正反対の側面開口部は個々の対の管腔と流体連通している。各々の側面開口部は近位端および遠位端を有し、そして各々の側面開口部は横断軸を画定する矩形の中央部分ならびに三角形の近位方向および遠位方向に延びる部分を含む細長い実質的にＺ形状である形態を有する。この三角形の近位方向に延びる部分は上記側面開口部の近位端で頂点を画定し、そしてこの三角形の遠位方向に延びる部分は上記側面開口部の遠位端で頂点を画定する。上記矩形の中央部分の横断軸は上記細長い管状部材の長手方向軸と鋭角を画定する。この鋭角は、約１５゜と約７５゜との間であり得る。いくつかの実施形態では、上記細長い管状部材は、上記対の管腔の各々の少なくとも一部分を画定する隔壁を含む。この隔壁は前記長手方向軸に対して平行に延び、そして上記細長い管状部材は、この隔壁によって画定される平面に関して対称である。特定の実施形態では、上記対の側面開口部の各々は、輪郭のあるエッジを有する。いくつかの実施形態では、上記側面開口部の各々の近位端および遠位端は丸い。
【００１１】
より特定すれば、本願発明は以下の項目に関し得る。
（項目１）
医療用カテーテルアセンブリであって、以下：
一対の内部管腔の各々の少なくとも一部分を画定する隔壁を含む細長いカテーテル部材と；
上記細長いカテーテル部材の遠位端に連結され、そして上記隔壁によって画定される平面に関して対称であるカテーテル先端部であって、上記カテーテル先端部は遠位部分および近位部分、上面、下面、ならびに上記上面と上記下面との間の側面を含み、上記遠位部分は閉じた遠位端を含む、カテーテル先端部とを備え、上記カテーテル先端部が：
第１の管腔および第２の管腔と、
上記カテーテル先端部の遠位部分にある第１の開口部および第２の開口部と、を画定し、各々の開口部は上記カテーテル先端部の個々の側面によって規定され、各々の開口部は上記カテーテル先端部の上記第１の管腔および上記第２の管腔の個々の１つと、そして上記細長いカテーテル部材の第１の管腔および第２の管腔の個々の１つと流体連通し；
上記カテーテル先端部の上面と下面との間の距離が、上記近位部分の遠位端から上記閉じた遠位端に向かって減少する、医療用カテーテルアセンブリ。
（項目２）
上記近位部分に沿った上記上面と上記下面との間の上記距離が、上記遠位部分に隣接する遠位方向で増加する、上記項目に記載の医療用カテーテルアセンブリ。
（項目３）
上記カテーテル先端部の近位部分が、湾曲した長球状領域によって画定される、上記項目のいずれか一項に記載の医療用カテーテルアセンブリ。
（項目４）
上記第１の開口部および上記第２の開口部が、各々細長い卵形である、上記項目のいずれか一項に記載の医療用カテーテルアセンブリ。
（項目５）
上記細長いカテーテル部材が長手方向軸を画定し、そして上記第１の開口部および上記第２の開口部が上記長手方向軸に沿って上記カテーテル先端部の遠位端から所定の距離で間隔を置かれる、上記項目のいずれか一項に記載の医療用カテーテルアセンブリ。
（項目６）
上記第１の管腔および上記第２の管腔の断面形状が半円形である、上記項目のいずれか一項に記載の医療用カテーテルアセンブリ。
（項目７）
上記細長いカテーテル部材および上記カテーテル先端部が、それらの間に延びる少なくとも１つの連結部材によって連結される、上記項目のいずれか一項に記載の医療用カテーテルアセンブリ。
（項目８）
上記少なくとも１つの連結部材が、上記細長いカテーテル部材および上記カテーテル先端部と流体連通するチャネルを画定する、上記項目のいずれか一項に記載の医療用カテーテルアセンブリ。
（項目９）
上記少なくとも１つの連結部材が近位端および遠位端を含み、そして上記連結部材の遠位端が上記第１の開口部および上記第２の開口部の１つと隣接している、上記項目のいずれか一項に記載の医療用カテーテルアセンブリ。
（項目１０）
上記第１の開口部および上記第２の開口部が各々輪郭のある周を有する、上記項目のいずれか一項に記載の医療用カテーテルアセンブリ。
（項目１１）
医療用カテーテルアセンブリであって、以下：
一対の管腔を画定する細長い管状部材であって、長手方向軸を画定する細長い管状部材と；
上記細長い管状部材の遠位部分上に配置されたカテーテル先端部と、を備え、
上記カテーテル先端部は一対の正反対の側面開口部を画定し、各々の側面開口部は上記一対の管腔の１つの管腔と流体連通し、各々の側面開口部は近位端および遠位端を有し、各々の側面開口部は横断軸を画定する矩形の中央部分ならびに三角形の近位方向および遠位方向に延びる部分を含む細長い実質的にＺ形状である形態を有し、上記三角形の近位方向に延びる部分は上記側面開口部の近位端で頂点を画定し、そして上記三角形の遠位方向に延びる部分は上記側面開口部の遠位端で頂点を画定し、そして上記矩形の中央部分の横断軸が上記細長い管状部材の長手方向軸と鋭角を画定する、医療用カテーテルアセンブリ。
（項目１２）
上記鋭角が、約１５゜と約７５゜との間である、上記項目のいずれか一項に記載の医療用カテーテルアセンブリ。
（項目１３）
上記細長い管状部材が、上記一対の管腔の各々の少なくとも一部分を画定する隔壁を備え、上記隔壁が上記長手方向軸に対して平行に延び、上記細長い管状部材が上記隔壁によって画定される平面に関して対称である、上記項目のいずれか一項に記載の医療用カテーテルアセンブリ。
（項目１４）
上記一対の側面開口部の各々が、輪郭のあるエッジを有する、上記項目のいずれか一項に記載の医療用カテーテルアセンブリ。
（項目１５）
上記側面開口部の各々の近位端および遠位端が、丸い、上記項目のいずれか一項に記載の医療用カテーテルアセンブリ。
【００１２】
（摘要）
医療用カテーテルアセンブリは、細長いカテーテル部材の遠位端に連結されたカテーテル先端部を含み、そして該細長いカテーテル部材の隔壁によって画定される平面に関して対称である。このカテーテル先端部は第１の管腔および第２の管腔を画定し、そしてこのカテーテル先端部は上記カテーテル先端部の遠位部分に第１の開口部および第２の開口部を画定する。上記カテーテル先端部の各々の開口部は上記カテーテル先端部の個々の側面によって画定される。各々の開口部は、上記カテーテル先端部の第１の管腔および第２の管腔の個々の１つと、そして上記細長いカテーテル部材によって画定される一対の管腔の個々の１つと流体連通している。上記カテーテル先端部の下面と上面との間の距離は、上記近位部分の遠位端から上記カテーテル先端部の閉じた遠位端に向かって減少する。
【００１３】
その他の局面、特徴、および利点は、明細書および図面、ならびに請求項から明らかである。
【図面の簡単な説明】
【００１４】
【図１】図１は、細長いカテーテル部材および先端部を含む医療用カテーテルの遠位部分の斜視図である。
【図２】図２は、図１の断面線２−２に沿った、図１の医療用カテーテルの断面図である。
【図３】図３Ａは、一対の側面開口部を含む、図１のカテーテルの先端部の斜視図である。図３Ｂは、図３Ａのカテーテル先端部の側面図である。図３Ｃは、図３Ａのカテーテル先端部の平面図である。
【図４】図４Ａは、近位部分から遠位部分まで変化する直径を有する近位部分を含むカテーテル先端部の斜視図である。図４Ｂは、図４Ａのカテーテル先端部の側面図である。図４Ｃは、図４Ａのカテーテル先端部の平面図である。
【図５】図５Ａは、湾曲した長球形領域を備えた近位部分を有するカテーテル先端部の斜視図である。図５Ｂは、図５Ａのカテーテル先端部の側面図である。図５Ｃは、図５Ａのカテーテル先端部の平面図である。
【図６】図６Ａは、正反対の平面状の上面および底面、ならびに近位部分がカテーテルの先端部の遠位部分に接近するにつれて外方向にそれる上壁および底壁を有する近位部分を有するカテーテル先端部の代替の実施形態の斜視図である。図６Ｂは、図６Ａのカテーテル先端部の側面図である。図６Ｃは、図６Ａのカテーテル先端部の平面図である。
【図７】図７Ａは、正反対の平面状の上面および底面、ならびにカテーテル先端部の遠位端を通って延びる側面開口部を有するカテーテル先端部の斜視図である。図７Ｂは、図７Ａのカテーテル先端部の側面図である。図７Ｃは、図７Ａのカテーテル先端部の平面図である。
【図８】図８Ａは、対の軸方向で対向し、そしてずれたテーパ状のスロットを有する細長いカテーテル部材を含むカテーテルアセンブリの斜視図である。図８Ｂは、図８Ａのカテーテルアセンブリの側面図である。図８Ｃは、図８Ａのカテーテルアセンブリの平面図である。
【図９】図９Ａは、丸い端部を有する側面開口部を含むカテーテルアセンブリの斜視図である。図９Ｂは、図９Ａのカテーテルアセンブリの側面図である。図９Ｃは、図９Ａのカテーテルアセンブリの平面図である。
【図１０】図１０Ａは、各々が丸い端部を備えたテーパ状のスロットとして形作られる一対の正反対の側面開口部を有するカテーテル本体を有するカテーテルアセンブリの斜視図である。図１０Ｂは、図１０Ａのカテーテルアセンブリの側面図である。図１０Ｃは、図１０Ａのカテーテルアセンブリの平面図である。
【図１１】図１１Ａは、各々が平坦な遠位壁を備えた、先欠けの卵形形状を有する一対の正反対の側面開口部を有するカテーテル本体を有するカテーテルアセンブリの斜視図である。図１１Ｂは、図１１Ａのカテーテルアセンブリの側面図である。図１１Ｃは、図１１Ａのカテーテルアセンブリの平面図である。
【図１２】図１２Ａは、各々がより小さな円形の近位部分と交差する円形の遠位部分によって画定される形状を有する一対の正反対の側面開口部を有するカテーテル本体を有するカテーテルアセンブリの斜視図である。図１２Ｂは、図１２Ａのカテーテルアセンブリの側面図である。図１２Ｃは、図１２Ａのカテーテルアセンブリの平面図である。
【図１３】図１３Ａは、各々が横断する関係で交差する矩形のスロットを含むＬ形状を有する一対の正反対の側面開口部を有するカテーテル本体を有するカテーテルアセンブリの斜視図である。図１３Ｂは、図１３Ａのカテーテルアセンブリの側面図である。図１３Ｃは、図１３Ａのカテーテルアセンブリの平面図である。
【図１４】図１４Ａは、円形の近位部分と交差する円形の遠位部分によって画定される形状を有する一対の正反対の側面開口部を有するカテーテル本体を有するカテーテルアセンブリの斜視図である。図１４Ｂは、図１４Ａのカテーテルアセンブリの側面図である。図１４Ｃは、図１４Ａのカテーテルアセンブリの平面図である。
【発明を実施するための形態】
【００１５】
（実施形態の詳細な説明）
本明細書に開示されるカテーテルの実施形態が、流体の投与のための医療用カテーテルの観点から、より詳細には、血液透析カテーテルの観点から論議される。しかし、本明細書の開示は、被験体の、外科的、診断的および疾患および身体の不快の関連する処置を含む所定範囲のカテーテル適用で採用され得ることが想定される。さらに、本明細書に開示されるカテーテルに関係する原理は、慢性および／または急性適用における、例えば、血液透析、心臓、腹部、泌尿器、腸、を含むことが想定される。
【００１６】
以下の論議において、用語「近位」は、オペレータにより近い構造の部分をいい、その一方、用語「遠位」は、オペレータからより遠い部分をいう。本明細書で用いられる用語「被験体」は、ヒト患者またはその他の動物をいう。用語「オペレータ」は医師、看護師またはその他のケア提供者をいい、そしてサポート作業者を含み得る。
【００１７】
ここで図１〜２を参照して、カテーテル１０は、カテーテル本体２０およびカテーテル先端部４０を含む。カテーテル本体２０は長手方向軸Ａを画定し、そして実質的に円形の断面を有し得る。カテーテル本体２０は、カテーテル１０の長さに延びる一対の管腔２２、２３を画定する。あるいは、カテーテル２０は、ガイドワイヤなどを受容するための第３の管腔を画定し得る。管腔２２、２３は、長方形、長楕円形、腎臓形状、および／またはＤ形状の断面形態を含み得る。カテーテル本体によって画定される隔壁２４は、隣接する管腔２２、２３間に配置され、そして各々の管腔２２、２３の少なくとも一部分を画定し得る。いくつかの実施形態では、カテーテル先端部４０は、実質的に円錐台形状のプロフィールを有する。この円錐台形状は、カテーテル１０の挿入を、例えば、短期カテーテルが利用される時間に過敏な状況で支援する。
【００１８】
カテーテル１０の構成要素は、医療適用のために適切な材料、例えば、ポリマー、シリコーン、および／またはポリウレタンのような材料から作製され得る。カテーテル本体２０は可撓性であり、そして射出成形または押出しによって形成され得る。カテーテル本体２０は、その標準的状態で予備成形された曲げを有し得、カテーテル本体２０が位置決めされる内部の身体腔または脈管に一致することを容易にする。あるいは、カテーテル本体２０は、実質的に真っ直ぐであり得る。
【００１９】
カテーテル先端部４０は、医療適用のために適切な材料、例えば、ポリマー、シリコーン、および／またはポリウレタンのような材料から作製され得る。さらに、カテーテル先端部４０は、カテーテル本体２０と同じ材料または異なる材料から製作される。いくつかの実施形態では、カテーテル先端部４０は、カテーテル本体２０とは別個に形成され、そしてカテーテル本体２０の遠位端部分に固定される。特定の実施形態では、カテーテル先端部４０は、カテーテル本体２０に組み込まれて、またはカテーテル本体２０と一体である。
【００２０】
カテーテル先端部４０は仕切り４４を含む。カテーテル先端部４０および仕切り４４は、管腔４２を画定する。カテーテル先端部４０の外側表面４７は遠位方向にテーパ状であり、そして閉じた遠位端４６に接近し、カテーテル１０の挿入を支援する。遠位端４６は丸く鈍いプロフィールを有するように示されてはいるが、遠位端４６のその他の形状およびプロフィールが可能である。カテーテル本体２０およびカテーテル先端部４０がアセンブルされるとき、先端部４０の管腔４２は、カテーテル本体２０の管腔２２、２３と流体連通し、かつそれらと整列される。同様に、隔壁２４および仕切り４４は整列され、管腔２２、２３および個々の管腔４２は、カテーテル本体２０に沿って長手方向軸Ａに平行な、実質的に平行でかつ別個の経路を画定する。少なくとも、隔壁２４の遠位部分および仕切り４４の近位部分は、実質的に類似の寸法を有し、カテーテル本体２０とカテーテル先端部４０との間の円滑な遷移を提供する。
【００２１】
カテーテル先端部４０は、管腔２２、２３中に挿入可能である、一対の近位方向に延びる連結部材４８を含み得る。これら連結部材４８は隔壁２４を受容するために間隔を置かれ、そしてチャネル５０を画定する。これらのチャネル５０は、カテーテル本体２０とカテーテル先端部４０がアセンブルされるとき、カテーテル本体２０の管腔２２、２３と流体連通している。連結部材４８は、締まりばめ、または摩擦適合で管腔２２、２３と係合し得、管腔２２、２３と実施的に流体密なシールを形成する。あるいは、または、さらに、連結部材４８は、化学的接着剤または溶接のような機械的カップリングを用いて管腔２２、２３内に固定され得る。
【００２２】
ここで、図３Ａ〜３Ｃを参照して、一対の側面開口部５２は、カテーテル先端部４０の外側表面４７に画定される。この側面開口部５２は、カテーテル先端部４０に沿って延び、そして長手方向軸Ａに関して対称である、実質的に細長く、卵形形状のスロットである。この側面開口部は５２は、流体流れＦ、Ｆ’が、内部身体腔のような環境と内部管腔４２との間を移動することを可能にする。この側面開口部５２は、例えば、レーザー切断、カテーテル先端部４０との成形によって形成された輪郭のあるエッジを有し得、そして／または滑らかにされて流れの破壊および血栓形成を最小にする。
【００２３】
血液透析適用では、カテーテル本体２０の近位端部分（図１）は透析器（図示はされていない）に連結され、血液が、カテーテル先端部４０の個々の側面開口部５２を経由してカテーテル本体２０の１つの管腔２２（図２）、動脈管腔を通って身体の管から引き抜かれ、そして血液精製のために透析器に送達される。精製された血液は、次いで、カテーテル先端部４０のその他の側面開口部５２を経由してカテーテル本体２０の第２の管腔２３、静脈管腔を通って身体の管に戻される。カテーテル本体２０、およびカテーテル先端部４０および管腔４２の対称形態のために、管腔２２、２３のいずれも、動脈管腔または静脈管腔として供され得る。カテーテル先端部４０の形態のため、動脈管腔２２と連通している側面開口部５２中への血流の流れＦ、および静脈管腔２３と連通している側面開口部５２を出る血流の流れＦ’は、流体再循環の程度が最小であるように分離される。
【００２４】
カテーテル先端部４０の対称の性質、この先端部４０に沿った側面開口部５２の正反対の位置決め、および側面開口部５２の細長い形状は、静脈管腔２３を出る流体流れＦ’と動脈管腔２２に入る流体流れＦとの間の間隔が最大にされることを可能にし、このことは、カテーテル１０の静脈管腔２３と動脈管腔２２（図１）との間の精製された血液の再循環の程度を最小にする。詳細には、血液は、側面開口部５２を通って近位方向に入り、そして側面開口部５２を通って遠位方向に出る。カテーテル先端部４０の外側表面４７および遠位端４６は、静脈管腔２３を出る流体流れＦ’が、動脈管腔２２に入る流体流れＦに向かって移動することを実質的に最小にする間隔を提供し、このことはまた、流体再循環の程度を最小にする。
【００２５】
ここで、図４Ａ〜４Ｃを参照して、カテーテル先端部１４０は近位部分１４１および遠位部分１４３を含む。カテーテル先端部１４０の遠位部分１４３は、鈍い、または非外傷的な形状を有し得る閉じた遠位端１４６に向かって徐々にテーパ状である。近位部分１４１は、遠位部分１４３に向かう方向に直径が増加する。近位部分１４１に沿った直径の増加は、側面開口部１５２の近位方向に半径方向に拡大する表面を提供する。この半径方向に拡大する表面は、流体流れＦ’を側面開口部１５２から離し得る。側面開口部１５２は、側面開口部５２に類似の形態であり、そしてカテーテル先端部１４０の外側表面１４７の側面に沿って形成された細長い卵形の形態を画定し得る。このカテーテル先端部１４０の形態のために、動脈管腔と連通している側面開口部１５２中への血流流れＦと、静脈管腔と連通している側面開口部１５２を出る血液流れＦ’は分離され、流体再循環の程度は最小にされる。
【００２６】
ここで、図５Ａ〜５Ｃを参照して、カテーテル先端部２４０は近位部分２４１および遠位部分２４３を含む。遠位部分２４３は、閉じた遠位端２４６に向かって徐々にテーパ状である実質的にテーパ状のプロフィールを有している。カテーテル先端部２４０は、カテーテル先端部２４０の外側表面２４７の対向する側面に沿って配置される一対の側面開口部２５２を画定する。カテーテル先端部２４０の近位部分２４１は、遠位部分２４３に隣接する湾曲した長球形の領域である。この近位部分２４１の湾曲した長球形の領域は、流体流れＦ’を側面開口部２５２から離す側面開口部２５２に対し近位方向にある半径方向に拡大した表面を提供し、カテーテル先端部１４０に関して上記で論議した様式で流体流れＦ’の再循環を最小にする。
【００２７】
ここで図６Ａ〜６Ｃを参照して、カテーテル先端部３４０は、正反対に対向する平面状の表面３５４、近位部分３４１および遠位部分３４３を含む。近位部分３４１の側面３６０は、遠位部分３４３に向かう方向で外方にそれる。各平面状の表面３５４は、カテーテル先端部３４０の長さに延び、そして鈍い遠位端３４６に内方に接近して収束する。遠位部分３４３の側面３６２は、遠位端３４６に接近する方向で内方にテーパ状となっている。側面開口部３５２は、上記で論議された開口部５２、１５２および２５２に類似している。各側面開口部３５２は、個々の側面３６２に沿って位置決めされている。平面状の表面３５４は、流体流れＦ’が遠位端３４６に向かって流れるための最も少ない抵抗の経路を提供することにより、側面開口部３５２から流体流れＦ’を離す。近位部分３４１の側面３６０もまた、流体を側面開口部３５２の外方に向ける。
【００２８】
ここで図７Ａ〜７Ｃを参照して、カテーテル先端部４４０は、カテーテル先端部４４０の外側表面に沿って、一対の遠位方向に位置決めされ、正反対の側面開口部４５２を画定する。側面開口部４５２は、カテーテル先端部４４０の遠位端４４６の一部分を通って延びる。側面開口部４５２は、カテーテル先端部４４０の内部管腔４４２と流体連通している。カテーテル先端部４４０は、カテーテル先端部３４０（図６Ａ〜６Ｃ）に関して上記に記載の機能と類似の様式で機能する。
【００２９】
ここで図８Ａ〜８Ｃを参照して、カテーテル５１０は、細長い本体５２０、およびこの細長い本体５２０の遠位端で支持されるカテーテル先端部５４０を含む。この細長い本体５２０は、カテーテル５１０の近位端からカテーテル５１０の遠位端に向かって延びる第１の管腔および第２の管腔（図示はしていない）を画定する。いくつかの実施形態では、カテーテル先端部５４０は実質的に円錐形であり、そして遠位方向に内方にテーパ状であり、鈍い、または非外傷性の端部を画定する。
【００３０】
このカテーテル本体５２０は、この本体５２０の長さに沿って互いに正反対に対向する第１および第２の側面開口部５２６を画定する。各側面開口部５２６は、第１および第２の管腔の個々の１つと流体連通している。各側面開口部５２６は、矩形または斜方形形状の中央部分５２７ａ、および三角形の近位部分５２７ｂおよび三角形の遠位部分５２７ｃを含む細長いＺ形状形態を有する。三角形部分５２７ｂの頂点は、三角形部分５２７ｂの近位端にあり、そして三角形部分５２７ｃの頂点は、三角形部分５２７ｃの遠位端にある。いくつかの実施形態では、矩形部分５２７ａは、カテーテル本体５２０によって画定される長手方向軸Ｂと鋭角θを画定する横断軸Ｔ（図８Ｂ）を画定する。例えば、この角度θは、約１５゜〜約７５゜であり得る。特定の実施形態では、矩形部分５２７ａの一部分ならびに三角形部分５２７ｂおよび５２７ｃの一部分を画定する側壁５２９は、カテーテル本体５２０によって画定される長手方向軸Ｂに実質的に平行である。
【００３１】
上記で論議されたように、側面開口部５２６は、カテーテル本体５２０の対向する側に対称に位置決めされ、そして側面開口部５２６の各々は、カテーテル５１０の個々の管腔と連通している。側面開口部５２６は、カテーテル５１０の動脈管腔中への流体流れＦと、カテーテル５１０の静脈管腔を出る流体流れＦ’との分離を容易にする。より詳細には、側面開口部５２６の形態のために、血流は、カテーテル本体５２０の動脈管腔と連通している側面開口部の近位端中に流れ、そしてカテーテル本体５２０の静脈管腔と連通している側面開口部５２６に遠位端から出る傾向を有する。このために、カテーテル５１０への、およびカテーテル５１０からの流体流れＦおよびＦ’は間隔を置かれて、カテーテル本体５２０内の再循環の程度を最小にする。
【００３２】
図９Ａ〜９Ｃを参照して、カテーテル６１０は、丸みのある近位端および遠位端６２７を有する側面開口部６２６を画定する本体６２０を含む。動脈管腔および静脈管腔（図示はされていない）を通る流体流れＦ、Ｆ’のためのそれぞれ進入点および出口点は、上記に記載のように軸方向で間隔を置かれる。それ故、動脈管腔に入る流体流れＦ、および静脈管腔から出る流体流れＦ’は、周縁方向および軸方向で間隔を置いて離れ、再循環の程度を最小にする。鋭いエッジと比較して、側面開口部６２６の丸みのあるエッジ６２７は、血流に対する剪断ストレスを低減し、血栓形成の可能性を減少する。
【００３３】
図１０Ａ〜１０Ｃを参照して、カテーテル７１０は、一対の正反対に対向する側面開口部７２６を画定し、各側面開口部は近位端７２７および遠位端７２８を有する。側面開口部７２６は、丸みのある端部を備えた実質的に涙の滴の形状を有する。各側面開口部７２６の涙の滴の形状のテーパは、近位端７２７から遠位端７２８に近位方向にテーパ状であり、近位端７２７は、遠位端７２８より小さい曲率半径を有している。流体流れＦは、近位端７２７で動脈管腔に入る。流体流れＦ’は、遠位端７２８で静脈管腔を出る。従って、個々の管腔を通る流体流れＦ、Ｆ’の近位方向および遠位方向流れは、軸方向と周縁方向の両方で互いから離れ、再循環を最小にする。
【００３４】
図１１Ａ〜１１Ｃを参照して、カテーテル８１０は、一対の正反対の対向する側面開口部８２６を画定する。各側面開口部８２６は、近位端８２７および遠位端８２８、ならびに細長い、先欠けの卵形形状を有する。各側面開口部８２６の遠位端８２８は、ほぼ平坦な、または平面状の形状を有する。各側面開口部８２６は、近位方向にテーパ状であり、そして湾曲した形状である個々の近位端８２７に向かって狭くなっている。流体流れＦは、近位端８２７で動脈管腔に入り、そして流体流れＦ’は、遠位端８２８で静脈管腔を出る。従って、個々の管腔を通る、近位方向および遠位方向の流体流れＦ、Ｆ’は軸方向と縁方向の両方で互いから間隔を置かれ、再循環を最小にする。
【００３５】
図１２Ａ〜１２Ｃを参照して、カテーテル９１０は、一対の正反対で対向する側面開口部９２６を画定する。各側面開口部９２６は、近位部分９２７、遠位部分９２８、および実質的に西洋ナシ形のプロフィールを有する。各側面開口部９２６の遠位部分９２８は弓状であり、そして第１の直径「Ａ１」を有しており、そして各側面開口部９２６の近位部分９２７は、弓状であり、そして直径Ａ１より小さい第２の直径「Ａ２」を有している。個々の近位部分９２７および遠位部分９２８は、カテーテル９１０の横断軸Ｔ’に沿って交差する。流体流れＦは近位部分９２７で動脈管腔に入り、そして流体流れＦ’は遠位部分９２８で静脈管腔を出る。従って、個々の管腔を通る流体流れＦ、Ｆ’の近位方向および遠位方向流れは、軸方向と周縁方向の両方で互いから離れ、再循環を最小にする。
【００３６】
図１３Ａ〜１３Ｃを参照して、カテーテル１０１０は、一対の正反対で対向する側面開口部１０２６を画定する。各側面開口部１０２６は近位部分１０２７および遠位部分１０２８を有し、そして実質的にＬ形状のプロフィールを有する。各側面開口部１０２６の遠位部分１０２８は、カテーテル１０１０の表面の一部分を横切って、カテーテル１０１０の長手方向軸Ａ’を横断する関係で延びる。各側面開口部１０２６の近位部分１０２７は、長手方向軸Ａ’に平行にカテーテル１０１０の表面の一部分に沿って延び、そして個々の遠位部分１０２８と交差する。流体流れＦは近位部分１０２７で動脈管腔に入り、そして遠位部分１０２８で静脈管腔を出る。従って、個々の管腔を通る流体流れＦ、Ｆ’の近位方向および遠位方向流れは、軸方向と周縁方向の両方で互いから離れる。
【００３７】
図１４Ａ〜１４Ｃを参照して、カテーテル１１１０は、一対の正反対で対向する側面開口部１１２６を画定する。各側面開口部１１２６は、近位部分１１２７、遠位部分１１２８、および実質的に８の字形状のプロフィールを有している。各側面開口部１１２６の近位部分１１２７および遠位部分１１２８の各々は、弓状の近位部分と交差する弓状の遠位部分によって画定される形状を有し、そしてカテーテル１１１０の横断軸Ｂ’’に関して対称である。流体流れＦは近位部分１１２７で動脈管腔に入り、そして流体流れＦ’は遠位部分１１２８で静脈管腔を出る。従って、個々の管腔を通る流体流れＦ、Ｆ’の近位方向および遠位方向流れは、軸方向と周縁方向の両方で互いから離れ、再循環を最小にする。
【００３８】
本開示の例示の実施形態が、添付の図面を参照して本明細書に記載されているが、本開示がこれらのまさにその実施形態に制限されることはなく、そして種々の変更および改変が、本開示の範囲または思想から逸脱することなく当業者によって、それらの中で実施され得ることが理解されるべきである。
【図１】
2014069074.tif 000003
【図２】
2014069074.tif 000004
【図３】
2014069074.tif 000005
【図４】
2014069074.tif 000006
【図５】
2014069074.tif 000007
【図６】
2014069074.tif 000008
【図７】
2014069074.tif 000009
【図８】
2014069074.tif 000010
【図９】
2014069074.tif 000011
【図１０】
2014069074.tif 000012
【図１１】
2014069074.tif 000013
【図１２】
2014069074.tif 000014
【図１３】
2014069074.tif 000015
【図１４】
2014069074.tif 000016